(57)【要約】【課題】従来よりも無駄な表示領域が発生してしまうことを抑えることができる、異形の表示面を有する配列型ディスプレイを提供する。【解決手段】配列型ディスプレイ２０は、表示面４１を有し、表示面４１を分割するように配列された複数のディスプレイパネル４０ａ〜４０ｆで構成されるディスプレイパネル集合体４０と、曲線を含む線で囲まれた形状（つまり、異形）の開口部３１を有し、表示面４１の一部を開口部３１から露出させた状態で表示面４１の周縁部４１ｂを覆う額縁３０とを備える。ディスプレイパネル４０ａ〜４０ｆには、大きさが異なり、かつ、第１方向（Ｘ軸方向）に隣接して並ぶ少なくとも２個のディスプレイパネルが含まれる。【選択図】図３Ａ
2018031898.tif 000002
【特許請求の範囲】
【請求項１】
表示面を有し、前記表示面を分割するように配列された複数のディスプレイパネルで構成されるディスプレイパネル集合体と、
曲線を含む線で囲まれた形状の開口部を有し、前記表示面の一部を前記開口部から露出させた状態で前記表示面の周縁部を覆う額縁とを備え、
前記複数のディスプレイパネルには、大きさが異なり、かつ、第１方向に隣接して並ぶ少なくとも２個のディスプレイパネルが含まれる
配列型ディスプレイ。
【請求項２】
前記表示面を平面視したときの前記額縁の外形は、前記開口部の輪郭と相似形である
請求項１記載の配列型ディスプレイ。
【請求項３】
前記少なくとも２個のディスプレイパネルは、隣接する２つのディスプレイパネルについて、前記第１方向と直交する第２方向の長さが異なる
請求項１又は２記載の配列型ディスプレイ。
【請求項４】
前記少なくとも２個のディスプレイパネルは、前記第１方向よりも前記第２方向に長い
請求項３記載の配列型ディスプレイ。
【請求項５】
前記少なくとも２個のディスプレイパネルは、前記第２方向よりも前記第１方向に長い
請求項３記載の配列型ディスプレイ。
【請求項６】
前記少なくとも２個のディスプレイパネルは、四角形の輪郭を有する
請求項１〜５のいずれか１項に記載の配列型ディスプレイ。
【請求項７】
前記少なくとも２個のディスプレイパネルは、４つの内角が等しい四角形の輪郭を有する
請求項６記載の配列型ディスプレイ。
【請求項８】
前記少なくとも２個のディスプレイパネルは、それぞれの輪郭を構成する四角形の一辺が直線状に並ぶように、配列されている
請求項６又は７記載の配列型ディスプレイ。
【請求項９】
前記開口部は、前記第１方向に直交する第２方向よりも前記第１方向に長く、かつ、前記第１方向に延びる前記曲線を含む線で囲まれた形状を有する
請求項１〜８のいずれか１項に記載の配列型ディスプレイ。
【請求項１０】
前記曲線は、前記第２方向に突出するように湾曲している
請求項９記載の配列型ディスプレイ。
【請求項１１】
前記額縁は、前記複数のディスプレイパネルの背面を支持する支持部を有する
請求項１〜１０のいずれか１項に記載の配列型ディスプレイ。
【請求項１２】
前記表示面は、前記表示面を平面視したときに、前記第１方向における前記表示面の両端部の少なくとも一方が手前に反るように、湾曲している
請求項１〜１１のいずれか１項に記載の配列型ディスプレイ。
【請求項１３】
前記表示面は、前記表示面を平面視したときに、前記第１方向と直交する第２方向における前記表示面の両端部の少なくとも一方が手前に反るように、湾曲している
請求項１〜１２のいずれか１項に記載の配列型ディスプレイ。
【請求項１４】
前記少なくとも２個のディスプレイパネルには、液晶パネルと有機ＥＬパネルとが含まれる
請求項１〜１３のいずれか１項に記載の配列型ディスプレイ。
【発明の詳細な説明】
【技術分野】
【０００１】
本開示は、複数のディスプレイパネルで構成される配列型ディスプレイに関する。
【背景技術】
【０００２】
従来、表示面を分割するように配列された複数のディスプレイパネルで構成される配列型ディスプレイとして、様々な形態が提案されている（例えば、特許文献１参照）。
【０００３】
特許文献１によれば、複数のディスプレイパネルを組み合わせることで多様な形態の表示が行われる。
【先行技術文献】
【特許文献】
【０００４】
【特許文献１】国際公開第２０１３／１０８３６２号
【発明の概要】
【発明が解決しようとする課題】
【０００５】
しかしながら、特許文献１の技術によれば、長方形の輪郭を有する同一サイズの複数のディスプレイパネルを組み合わせることで、より大きな長方形の表示面を有する配列型ディスプレイは構築されるものの、曲線を含む線で囲まれた半円形等の形状（以下、このような形状を「異形」という）の表示面を有する配列型ディスプレイは実現されないという問題がある。異形の表示面を有する配列型ディスプレイは、曲線を含む輪郭を有する空間のように、制約された形状の空間内に設置する場合等において有用である。
【０００６】
ここで、異形の表示面を有するディスプレイとして、長方形の表示面を有する一つのディスプレイパネルに対して、異形（例えば、半円形）の開口部を有する額縁でディスプレイパネルの周縁部を覆うことで、異形の表示面だけを露出させる方法が考えられる。しかしながら、このような方法では、ディスプレイパネルの角の部分では、大きな面積の表示領域が額縁で覆われることになり、表示領域の無駄が生じる。
【０００７】
また、長方形のマザーガラスから半円形等の異形のパネルを複数切り出すことで、異形のパネルを多面取りすることも考えられる。しかしながら、このような方法では、マザーガラスにおいて、多面取りした複数の異形のパネルの間にデッドスペースが発生し、無駄が生じ、パネルのコスト増をもたらしてしまう。
【０００８】
そこで、本開示は、このような状況に鑑みてなされたものであり、従来よりも無駄な表示領域が発生してしまうことを抑えることができる、異形の表示面を有する配列型ディスプレイを提供することを目的とする。
【課題を解決するための手段】
【０００９】
上記目的を達成するために、本開示に係る配列型ディスプレイの一形態は、表示面を有し、表示面を分割するように配列された複数のディスプレイパネルで構成されるディスプレイパネル集合体と、曲線を含む線で囲まれた形状の開口部を有し、表示面の一部を開口部から露出させた状態で表示面の周縁部を覆う額縁とを備え、複数のディスプレイパネルには、大きさが異なり、かつ、第１方向に隣接して並ぶ少なくとも２個のディスプレイパネルが含まれる。
【発明の効果】
【００１０】
従来よりも無駄な表示領域が発生してしまうことを抑えることができる、異形の表示面を有する配列型ディスプレイが提供される。
【図面の簡単な説明】
【００１１】
【図１】実施の形態における配列型ディスプレイの外観図
【図２Ａ】図１に示された配列型ディスプレイの分解斜視図
【図２Ｂ】図２Ａに示されたディスプレイパネル集合体における各部の名称を説明するための図
【図３Ａ】図１に示された配列型ディスプレイの正面図
【図３Ｂ】図３Ａにおける３Ｂ−３Ｂ線を含む面で切断して得られる配列型ディスプレイの断面図
【図４Ａ】図３Ａに示された配列型ディスプレイの左端部の拡大図
【図４Ｂ】図４Ａに示された配列型ディスプレイの左端部の変形例についての拡大図
【図５Ａ】液晶パネルの構造例を示す図
【図５Ｂ】有機ＥＬパネルの構造例を示す図
【図６】実施の形態の変形例１における額縁の斜視図
【図７Ａ】図６に示された額縁を用いた配列型ディスプレイの正面図
【図７Ｂ】図７Ａにおける７Ｂ−７Ｂ線を含む面で切断して得られる配列型ディスプレイの断面図
【図８】実施の形態の変形例２における配列型ディスプレイの正面図
【図９】実施の形態の変形例３における配列型ディスプレイの正面図
【図１０】実施の形態の変形例４における配列型ディスプレイの正面図
【図１１】曲面の表示面をもつ配列型ディスプレイの上面図
【図１２】曲面の表示面をもつ別の配列型ディスプレイの右側面図
【発明を実施するための形態】
【００１２】
以下、本開示の実施の形態について、図面を用いて詳細に説明する。なお、以下で説明する実施の形態は、いずれも本開示の一具体例を示すものである。以下の実施の形態で示される数値、形状、材料、構成要素、構成要素の配置位置及び接続形態等は、一例であり、本開示を限定する主旨ではない。また、以下の実施の形態における構成要素のうち、本開示の最上位概念を示す独立請求項に記載されていない構成要素については、任意の構成要素として説明される。
【００１３】
図１は、実施の形態における配列型ディスプレイ２０の外観図である。ここでは、自動車１０の前席の正面に、インスツルメントクラスタとして、配列型ディスプレイ２０が組み込まれた例が示されている。配列型ディスプレイ２０は、運転席１１の正面だけでなく、助手席１２の正面にも位置する横長のディスプレイであり、スピードメータ、タコメータ等の計器類を表示するだけでなく、カーナビゲーションシステム、オーディオ・ビデオ、ＴＶ等のディスプレイとしても機能する。
【００１４】
図２Ａは、図１に示された配列型ディスプレイ２０の分解斜視図である。図２Ｂは、図２Ａに示されたディスプレイパネル集合体４０における各部の名称を説明するための図である。なお、図面（以降の図面を含む）には、配列型ディスプレイ２０の構造に対応するように、互いに直交する３軸（水平方向を示すＸ軸、鉛直方向を示すＹ軸、奥行き方向を示すＺ軸）が示されている。
【００１５】
図２Ａに示されるように、配列型ディスプレイ２０は、ディスプレイパネル集合体４０と、額縁３０とで構成される。
【００１６】
ディスプレイパネル集合体４０は、図２Ｂに示されるように、全体としての一つの表示面４１を有し、表示面４１を分割するように配列された複数のディスプレイパネル（ここでは、６個のディスプレイパネル４０ａ〜４０ｆ）で構成される。ディスプレイパネル４０ａ〜４０ｆは、例えば、液晶パネル又は有機ＥＬ（ElectroLuminescence）パネルであり、それぞれ、多角形の輪郭（ここでは、４つの内角が等しい四角形（つまり、矩形）の輪郭。なお、多角形とは、角が面取りされた多角形も略多角形として含まれる。）を有する表示面を有し、表示面をＺ軸の負方向に向けてタイリングするように配列されている。なお、ディスプレイパネル集合体４０の表示面４１とは、ディスプレイパネル４０ａ〜４０ｆの表示面の集合であり、ディスプレイパネル集合体４０の前面（Ｚ軸方向に見たときのＸＹ面の全体）をいい、画素が形成された表示領域だけでなく、画素が形成されていない非表示領域も含む。また、ディスプレイパネル４０ａ〜４０ｆの種類として、液晶パネルだけであってもよいし、有機ＥＬパネルだけであってもよいし、これらが混在していてもよい。
【００１７】
額縁３０は、曲線を含む線で囲まれた形状（つまり、異形）の開口部３１を有し、表示面４１の一部（ここでは、中央部４１ａ（図２Ｂの破線枠の中））を開口部３１から露出させた状態で表示面４１の周縁部４１ｂ（図２Ｂの破線枠の外）を覆うベゼルである。額縁３０は、配列型ディスプレイ２０の前面を構成する下側前面枠縁３０ａ、左側前面枠縁３０ｂ、右側前面枠縁３０ｃ及び上側前面枠縁３０ｄと、ディスプレイパネル集合体４０の底面を支持する底面枠縁３０ｅとで構成される。
【００１８】
なお、額縁３０は、樹脂、金属又はそれらの混合で構成され、一体で成形されてもよいし、複数の構成要素が結合（接合、係合又はビス止め）されて構成されてもよい。また、ディスプレイパネル集合体４０は、接着剤又は接合材を用いて額縁３０に接合されてもよいし、後述するように、額縁３０が有する支持部によって額縁３０に固定されてもよい。
【００１９】
図３Ａは、図１に示された配列型ディスプレイ２０の正面図である。図３Ｂは、図３Ａにおける３Ｂ−３Ｂ線を含む面で切断して得られる配列型ディスプレイ２０の断面図である。
【００２０】
ディスプレイパネル４０ａ〜４０ｆは、図３Ａに示されるように、輪郭の一辺どうしを接触させた状態で第１方向（Ｘ軸方向）に隣接して並べられ、それぞれの表示面の周縁部が額縁３０の裏面に接合され、かつ、図３Ｂに示されるように、底面枠縁３０ｅで支持されている。額縁３０は、表示面４１を平面視（つまり、正面視）したときに、図３Ａに示されるように、Ｘ軸方向に細長く、かつ、上部（上側前面枠縁３０ｄ）が上方（Ｙ軸方向）に円弧状に突出するように湾曲した横長のアーチ形（つまり、異形）の開口部３１を有し、開口部３１からディスプレイパネル４０ａ〜４０ｆの表示面が露出している。また、表示面４１を平面視したときの額縁３０の外形は、開口部３１の輪郭と相似形である。このような配列型ディスプレイ２０を正面視した場合に、全体として、異形の輪郭をもつ一つのディスプレイに見える。なお、ディスプレイパネル４０ａ〜４０ｆは、必ずしも輪郭の一辺どうしを接触させていなくても構わない。
【００２１】
図４Ａは、図３Ａに示された配列型ディスプレイ２０の左端部（Ｘ軸の負方向の端部）の拡大図である。ディスプレイパネル集合体４０の最左端に位置するディスプレイパネル４０ａは、正面（Ｚ軸方向）から見て、額縁３０の下側前面枠縁３０ａ、左側前面枠縁３０ｂ及び上側前面枠縁３０ｄと重なる領域を有し、それらの重なる領域で、ディスプレイパネル４０ａの表示面と額縁３０の裏面とが接合されている。
【００２２】
なお、上側前面枠縁３０ｄがＹ軸方向に円弧状に突出するように湾曲していることから、ディスプレイパネル４０ａと上側前面枠縁３０ｄとが重なる領域のＹ軸方向における幅Ｌ１は、ディスプレイパネル４０ａと左側前面枠縁３０ｂとが重なる領域のＸ軸方向における幅Ｌ２よりも大きくなっている。
【００２３】
また、本図では、ディスプレイパネル４０ａの形状、大きさ及び取り付け位置と上側前面枠縁３０ｄの形状との関係により、額縁３０の開口部３１において、ディスプレイパネルが存在しない小さな空隙３１ａが存在するが、配列型ディスプレイ２０としては、このような空隙３１ａは必ずしも存在しなくてもよい。つまり、このような空隙３１ａが発生しないような形状、大きさ及び取り付け位置を考慮したディスプレイパネル４０ａを用いてもよい。
【００２４】
また、図４Ｂに示される配列型ディスプレイ２０ａのように、図４Ａに示されるディスプレイパネル４０ａが、Ｙ軸方向の長さが等しい複数のディスプレイパネル４０ａ−１及び４０ａ−２に分割して構成されてもよい。他のディスプレイパネル４０ｂ〜４０ｆについても同様である。つまり、ディスプレイパネル集合体４０を構成するディスプレイパネル４０ａ〜４０ｆのそれぞれは、Ｘ軸方向に分割された複数のディスプレイパネルで構成されてもよい。
【００２５】
なお、ディスプレイパネル４０ａ〜４０ｆのそれぞれは、液晶パネルである場合には、例えば、図５Ａに示される構造を有する。図５Ａは、液晶パネルの構造例を示す図である。ここでは、背面から前面に向かって、ＬＥＤ等による光源をもつバックライト４５ａ、背面偏光板４５ｂ、背面ガラス基板４５ｃ、画素を駆動する薄膜トランジスタ（Thin Film Transistor）が形成されたＴＦＴ層４５ｄ、電圧の印加によって分子配列が変化する液晶層４５ｅ、カラーフィルタ４５ｆ、前面ガラス基板４５ｇ、及び、前面偏光板４５ｈで構成される。なお、液晶パネルの構成としては、このような構成に限られず、ＴＮ（Twisted Nematic）型、ＳＴＮ（Super TN）型、ＤＳＴＮ（Double STN）型等の単純マトリクス駆動のパネルであってもよい。また、アクティブマトリクス駆動のパネルである場合には、駆動方式として、ＴＮ（Twisted Nematic）方式、ＶＡ（Virtical Alignment）方式、ＩＰＳ（In-Place-Switching）方式等のいずれであってもよい。また、バックライト４５ａについては、ディスプレイパネルごとに設けられるのではなく、複数のディスプレイパネルに共通する外付けのタイプとして設けられてもよい（つまり、ディスプレイパネル４０ａ〜４０ｆとは別体であってもよい）。また、液晶パネルの構造についても、図５Ａに示された構造に限られず、例えば、透明導電膜（対向電極）、配向膜等が設けられてもよい。
【００２６】
また、ディスプレイパネル４０ａ〜４０ｆのそれぞれは、有機ＥＬパネルである場合には、例えば、図５Ｂに示される構造を有する。図５Ｂは、有機ＥＬパネルの構造例を示す図である。ここでは、背面から前面に向かって、陰極４６ａ、電子を円滑に発光層４６ｃに移動させるための電子輸送層４６ｂ、低分子系又は高分子系の蛍光材料等で構成される発光層４６ｃ、正孔を円滑に発光層４６ｃに移動させるための正孔輸送層４６ｄ、ＩＴＯ（Indium Tin Oxide）等の透明電極からなる陽極４６ｅ、及び、ガラス基板４６ｆで構成される。なお、有機ＥＬパネルの駆動方式についても、パッシブ方式、及び、アクティブ方式のいずれであってもよい。また、有機ＥＬパネルのカラー化方式についても、３色方式、色変換方式、及び、カラーフィルタ方式のいずれであってもよい。また、有機ＥＬパネルの構造についても、図５Ｂに示された構造に限られず、例えば、電子注入層等が設けられてもよい。
【００２７】
なお、ディスプレイパネル４０ａ〜４０ｆのそれぞれは、ディスプレイパネルが有する各画素に映像信号を供給するＩＣであるソースドライバ、及び、各画素に制御信号を供給するＩＣであるゲートドライバが装着されたディスプレイモジュールと呼ばれるタイプのものであってもよいし、これらの回路が装着されていないタイプのものであってもよい。
【００２８】
以上のように構成される本実施の形態の配列型ディスプレイ２０は、以下の特徴を有する。
【００２９】
配列型ディスプレイ２０は、表示面４１を有し、表示面４１を分割するように配列された複数のディスプレイパネル４０ａ〜４０ｆで構成されるディスプレイパネル集合体４０と、曲線を含む線で囲まれた形状（つまり、異形）の開口部３１を有し、表示面４１の一部を開口部３１から露出させた状態で表示面４１の周縁部４１ｂを覆う額縁３０とを備える。ディスプレイパネル４０ａ〜４０ｆには、大きさが異なり、かつ、第１方向（Ｘ軸方向）に隣接して並ぶ少なくとも２個のディスプレイパネルが含まれる。
【００３０】
これにより、大きさが異なるディスプレイパネル４０ａ〜４０ｆを、異形の開口部３１を埋め尽くすようにタイリングして配列することができるので、同一サイズ及び形状の複数のディスプレイパネルを用いる場合に比べ、表示領域の無駄が抑制できる。さらに、複数のディスプレイパネル４０ａ〜４０ｆで表示面４１が構成されるので、一枚の長方形のマザーガラスから異形のパネルを多面取りする場合に比べ、デッドスペースの発生が抑制される。よって、マザーガラスに無駄な領域が発生してしまうことを抑えることができ、低コストで異形の表示面を有する配列型ディスプレイ２０を実現できる。
【００３１】
また、表示面４１を平面視したときの額縁３０の外形は、開口部３１の輪郭と相似形である。これにより、額縁３０の外形と開口部３１の輪郭とが相似形となるので、開口部３１を額縁３０の中央に位置させることで、額縁３０のうち前面に位置する枠縁が均一な幅の帯状となり、美しいデザインが確保される。さらに、額縁３０の外形と開口部３１の輪郭とを接近させた額縁３０とすることで、狭額縁の配列型ディスプレイ２０が実現される。
【００３２】
また、ディスプレイパネル４０ａ〜４０ｆには、隣接する２つのディスプレイパネルについて、第１方向（Ｘ軸方向）と直交する第２方向（Ｙ軸方向）の長さが異なる少なくとも２個のディスプレイパネルが含まれる。これにより、第２方向（Ｙ軸方向）の長さが異なるディスプレイパネル４０ａ〜４０ｆを第１方向（Ｘ軸方向）に並べることで、異形の開口部３１に対応したディスプレイパネル集合体４０を形成することができる。
【００３３】
また、ディスプレイパネル４０ａ〜４０ｆには、第１方向（Ｘ軸方向）よりも第２方向（Ｙ軸方向）に長い少なくとも２個のディスプレイパネルが含まれる。これにより、ディスプレイパネル４０ａ〜４０ｆを短冊状に隣接させて第１方向（Ｘ軸方向）に並べることで、異形の開口部３１に対応したディスプレイパネル集合体４０を構成することができる。
【００３４】
また、ディスプレイパネル４０ａ〜４０ｆは、四角形の輪郭を有する。より具体的には、ディスプレイパネル４０ａ〜４０ｆは、４つの内角が等しい四角形（つまり、矩形）の輪郭を有する。これにより、四角形の輪郭を有するマザーガラスから効率的に多面取りができる四角形の輪郭を有するディスプレイパネル４０ａ〜４０ｆを用いて、配列型ディスプレイ２０を構築できる。
【００３５】
また、ディスプレイパネル４０ａ〜４０ｆは、それぞれの輪郭を構成する四角形の一辺が直線状に並ぶように、配列されている。これにより、ディスプレイパネル集合体４０の全体としての輪郭の一辺が直線となるので、平面の上に安定して置くことができる輪郭を有する配列型ディスプレイ２０が構築される。
【００３６】
また、額縁３０の開口部３１は、第１方向（Ｘ軸方向）に直交する第２方向（Ｙ軸方向）よりも第１方向（Ｘ軸方向）に長く、かつ、第１方向（Ｘ軸方向）に延びる曲線を含む線で囲まれた形状を有する。これにより、開口部３１の形状は、第１方向（Ｘ軸方向）に延びる細長い異形となるので、自動車のインスツルメントクラスタ用に好適な配列型ディスプレイ２０が実現される。
【００３７】
また、額縁３０の開口部３１の輪郭を構成する曲線は、第２方向（Ｙ軸方向）に突出するように湾曲している。これにより、開口部３１は、第２方向（Ｙ軸方向）に突出するように湾曲する輪郭を有するので、自動車のインスツルメントクラスタ用に好適な配列型ディスプレイ２０が実現される。
【００３８】
また、ディスプレイパネル４０ａ〜４０ｆには、液晶パネルと有機ＥＬパネルとが混在して含まれてもよい。これにより、液晶パネルだけで配列型ディスプレイを構成した場合に比べ、有機ＥＬパネルの利点（高コントラスト、薄型化等）をもった配列型ディスプレイ２０が実現される。
【００３９】
次に、上記実施の形態の各種変形例について説明する。
【００４０】
（変形例１）
図６は、実施の形態の変形例１における額縁３２の斜視図である。図７Ａは、図６に示された額縁３２を用いた配列型ディスプレイ２１の正面図である。図７Ｂは、図７Ａにおける７Ｂ−７Ｂ線を含む面で切断して得られる配列型ディスプレイ２１の断面図である。
【００４１】
本変形例では、図６に示されるように、額縁３２は、上記実施の形態における額縁３０と同様の構成要素（下側前面枠縁３２ａ、左側前面枠縁３２ｂ、右側前面枠縁３２ｃ、上側前面枠縁３２ｄ、底面枠縁３２ｅ）に加えて、ディスプレイパネル集合体４０の両側面を覆う左側面枠縁３２ｆ及び右側面枠縁３２ｇ、ディスプレイパネル集合体４０の上面を覆う上面枠縁３２ｈ、ディスプレイパネル集合体４０の背面の周縁を覆う背面枠縁３２ｉ、並びに、ディスプレイパネル集合体４０の背面を表示面４１の方向に押圧して支持する支持部３３を有する。額縁３２を構成する構成要素のうち、下側前面枠縁３２ａ、左側前面枠縁３２ｂ、右側前面枠縁３２ｃ、上側前面枠縁３２ｄ、底面枠縁３２ｅ、左側面枠縁３２ｆ、右側面枠縁３２ｇ、上面枠縁３２ｈ及び背面枠縁３２ｉは、一体で成形、又は、互いに結合（接合、係合又はビス止め）されて構成され、支持部３３は、ディスプレイパネル集合体４０の額縁３２への取り付けを容易にするために、接合又は係合等によって背面枠縁３２ｉに対して着脱自在に取り付けられる。
【００４２】
また、図７Ａに示されるように、額縁３２の支持部３３のそれぞれは、ディスプレイパネル４０ａ〜４０ｆのそれぞれのＸ軸方向における中央付近の位置でＹ軸方向に延在するように、背面枠縁３２ｉに取り付けられる。図７Ｂに示されるように、額縁３２の支持部３３は、ディスプレイパネル４０ａ〜４０ｆが額縁３２の中に収納された後に、ディスプレイパネル４０ａ〜４０ｆの背面に対して、前面の方向（Ｚ軸の負方向）に押圧するようにして、背面枠縁３２ｉに結合（接合、係合又はビス止め）される。
【００４３】
このように、本変形例では、額縁３２は、ディスプレイパネル４０ａ〜４０ｆの背面を表示面４１の方向に押圧して支持する支持部３３を有する。これにより、支持部３３によってディスプレイパネル４０ａ〜４０ｆが固定されるので、ディスプレイパネル４０ａ〜４０ｆの額縁３０への取り付けが容易となる。
【００４４】
なお、本変形例では、額縁３２の支持部３３のそれぞれは、ディスプレイパネル４０ａ〜４０ｆのそれぞれのＸ軸方向における中央付近に位置したが、このような位置に限られず、例えば、２つのディスプレイパネルが隣接し合う接触箇所に位置してもよい。これにより、支持部３３のそれぞれが同時に２つのディスプレイパネルを支持できる。
【００４５】
また、本変形例では、額縁３２の支持部３３は、額縁３２の他の構成要素から分離していたが、このような構成に限られず、額縁３２の支持部３３のそれぞれの一部が他の構成要素（例えば、背面枠縁３２ｉ）とヒンジ等を介して連結されていてもよい。これにより、額縁３２の支持部３３を、開閉するドアのように用いることで、ディスプレイパネル４０ａ〜４０ｆの額縁３０への取り付け及び取り出しが容易になる。
【００４６】
（変形例２）
図８は、実施の形態の変形例２における配列型ディスプレイ２２の正面図である。本変形例における配列型ディスプレイ２２は、ディスプレイパネル集合体４２として、輪郭の一辺どうしを接触させた状態で第１方向（Ｘ軸方向）に隣接して並べられた４個のディスプレイパネル４２ａ〜４２ｄで構成される。ディスプレイパネル４２ａ〜４２ｄのそれぞれは、四角形の輪郭を有するが、その四角形は、上記実施の形態と異なり、Ｙ軸方向に延びる対辺が平行であり、Ｘ軸方向に延びる対辺が平行ではない台形である。
【００４７】
つまり、ディスプレイパネル４２ａ〜４２ｄの輪郭の四角形のうち、上側前面枠縁３０ｄと接する上辺は、上側前面枠縁３０ｄの外形に沿って、Ｘ軸に対して傾斜している。具体的には、ディスプレイパネル４２ａの上辺は、Ｘ軸方向に延びるに従ってＹ軸方向の位置が増加する正の傾斜を有し、ディスプレイパネル４２ｂの上辺は、ディスプレイパネル４２ｂの上辺よりも緩やかな正の傾斜を有し、ディスプレイパネル４２ｃの上辺は、Ｘ軸方向に延びるに従ってＹ軸方向の位置が減少する負の傾斜を有し、ディスプレイパネル４２ｄの上辺は、ディスプレイパネル４２ｃの上辺よりも緩やかな負の傾斜を有する。
【００４８】
なお、本変形例において、額縁３０は、上記実施の形態の額縁３０と同じものが用いられているが、上記変形例１の額縁３２と同じものが用いられてもよい。
【００４９】
このように、本変形例の配列型ディスプレイ２２は、上記実施の形態及び変形例１と同様に、正面視したときに、額縁３０が有する開口部３１の形状は、曲線を含む線で囲まれた形状（Ｘ軸方向に細長く、かつ、上部（上側前面枠縁３０ｄ）が上方（Ｙ軸方向）に円弧状に突出するように湾曲した横長のアーチ形（つまり、異形））であるが、タイリングして配列されるディスプレイパネル４２ａ〜４２ｄは、四角形（本変形例では台形）の輪郭を有する。
【００５０】
これにより、一枚の四角形の輪郭を有するマザーガラスから異形のパネルを多面取りするような無駄が発生する製法を採用することなく、低コストで異形の表示面を有する配列型ディスプレイ２２が実現される。
【００５１】
（変形例３）
図９は、実施の形態の変形例３における配列型ディスプレイ２３の正面図である。本変形例における配列型ディスプレイ２３は、基本的に、ディスプレイパネル集合体４３と額縁３４とで構成される点で上記実施の形態と同じであるが、ディスプレイパネル集合体４３及び額縁３４の形状が上記実施の形態等と異なる。
【００５２】
本変形例では、額縁３４の前面は、上記実施の形態と同様に、下側前面枠縁３４ａ、左側前面枠縁３４ｂ、右側前面枠縁３４ｃ及び上側前面枠縁３４ｄで構成されるが、上記実施の形態と異なり、上側前面枠縁３４ｄは、正面視した形状が、上記実施の形態における上側前面枠縁３０ｄよりも、上方（Ｙ軸方向）に大きく突出するように湾曲している。より具体的には、上側前面枠縁３４ｄは、左側前面枠縁３４ｂ及び右側前面枠縁３４ｃではＹ軸の負の方向に突出している。一方、上側前面枠縁３４ｄは、開口部３１中央部では、Ｙ軸の正の方向に突出している。その結果、額縁３４が有する開口部３１の形状は、Ｘ軸方向に細長く、かつ、上部（上側前面枠縁３４ｄ）が上方（Ｙ軸方向）に大きく突出するように湾曲した横長の山形（つまり、異形）になっている。
【００５３】
また、ディスプレイパネル集合体４３は、矩形の輪郭を有し、輪郭の一辺どうしを接触させた状態で第１方向（Ｘ軸方向）に隣接して並べられた１２個のディスプレイパネル４３ａ〜４３Ｌで構成される。ディスプレイパネル４３ａ〜４３Ｌのうち、左右両端に位置する２つのディスプレイパネル４３ａ及び４３Ｌは、Ｘ軸方向に長い長方形の輪郭を有するが、それらの間に位置する他の１０個のディスプレイパネル４３ｂ〜４３ｋは、Ｙ軸方向に長い長方形の輪郭を有する。本変形例では、上記実施の形態に比べて、額縁３４が有する開口部３１の上部が上方（Ｙ軸方向）に大きく突出するように湾曲しているので、その湾曲に沿って矩形の輪郭を有するディスプレイパネルでタイリングするために、より多くの個数で、かつ、Ｙ軸方向により細長いディスプレイパネルが用いられている。
【００５４】
なお、額縁３４の基本的な構造は、上記実施の形態の額縁３０と同じ構造であってもよいし、上記変形例１の額縁３２と同じ構造であってもよい。
【００５５】
このように、本変形例の配列型ディスプレイ２３も、上記実施の形態、変形例１及び２と同様に、額縁３４は、異形の開口部３１を有するが、ディスプレイパネル集合体４３を構成するディスプレイパネル４３ａ〜４３Ｌは、いずれも四角形の輪郭を有する。
【００５６】
これにより、一枚の四角形の輪郭を有するマザーガラスから異形のパネルを多面取りするような無駄が発生する製法を採用することなく、効率的に多面取りができ、低コストで異形の表示面を有する配列型ディスプレイ２３が実現される。
【００５７】
（変形例４）
図１０は、実施の形態の変形例４における配列型ディスプレイ２４の正面図である。本変形例における配列型ディスプレイ２４では、額縁３４は、上記変形例３におけるものと同じであるが、ディスプレイパネル集合体４４は、上記変形例２と同様に、台形の輪郭を有する４個のディスプレイパネル４４ａ〜４４ｄで構成される。
【００５８】
本変形例の配列型ディスプレイ２３も、上記実施の形態、変形例１〜３と同様に、額縁３４は、異形の開口部３１を有するが、ディスプレイパネル集合体４４を構成するディスプレイパネル４４ａ〜４４ｄは、いずれも四角形（本変形例では台形）の輪郭を有する。
【００５９】
これにより、一枚の四角形の輪郭を有するマザーガラスから異形のパネルを多面取りするような無駄が発生する製法を採用することなく、低コストで異形の表示面を有する配列型ディスプレイ２４が実現される。
【００６０】
以上、本開示の配列型ディスプレイについて、実施の形態及び変形例に基づいて説明したが、本開示は、これらの実施の形態及び変形例に限定されるものではない。本開示の主旨を逸脱しない限り、当業者が思いつく各種変形を本実施の形態及び変形例に施したものや、実施の形態及び変形例における一部の構成要素を組み合わせて構築される別の形態も、本開示の範囲内に含まれる。
【００６１】
例えば、上記実施の形態及び変形例では、表示面４１は、平面であったが、曲面であってもよい。図１１は、曲面の表示面４１をもつ配列型ディスプレイ２５の上面図（Ｙ軸の負方向に見た図）である。表示面４１は、表示面４１を平面視したときに、第１方向（Ｘ軸方向）における表示面４１の両端部の少なくとも一方が手前（Ｚ軸の負方向）に反るように、湾曲している。このような配列型ディスプレイ２５は、例えば、上記実施の形態における配列型ディスプレイ２０において、上面視したときに、Ｚ軸方向に突出するように湾曲した表示面をもつディスプレイパネル４０ａ〜４０ｆと、Ｚ軸方向に突出するように湾曲した額縁３０とで実現される。なお、本変形例では、ディスプレイパネル４０ａ〜４０ｆのいずれもが湾曲した表示面をもつが、このような形態に限られず、第１方向（Ｘ軸方向）に並ぶディスプレイパネル４０ａ〜４０ｆの第１方向（Ｘ軸方向）の両端部の少なくとも一方に位置するディスプレイパネル４０ａ又は４０ｆだけが湾曲した表示面であってもよい。その場合には、額縁３０は、一部のディスプレイパネルだけが湾曲した表示面をもつことに対応した構造を有する。
【００６２】
このような配列型ディスプレイ２５により、第１方向（Ｘ軸方向）に延びる細長い表示面４１であっても、第１方向（Ｘ軸方向）における表示面４１の両端部の少なくとも一方が手前（Ｚ軸の負方向）に反っているので、第１方向（Ｘ軸方向）における広い視野角をもつ表示面４１が実現される。
【００６３】
同様に、図１２は、曲面の表示面４１をもつ別の配列型ディスプレイ２６の右側面図（Ｘ軸の負方向に見た図）である。表示面４１は、表示面４１を平面視したときに、第２方向（Ｙ軸方向）における表示面４１の両端部の少なくとも一方が手前（Ｚ軸の負方向）に反るように、湾曲している。このような配列型ディスプレイ２６は、例えば、上記実施の形態における配列型ディスプレイ２０において、右側面視したときに、Ｚ軸方向に突出するように湾曲した表示面をもつディスプレイパネル４０ａ〜４０ｆと、Ｚ軸方向に突出するように湾曲した額縁３０とで実現される。なお、本変形例では、ディスプレイパネル４０ａ〜４０ｆのいずれもが湾曲した表示面をもつが、このような形態に限られず、第１方向（Ｘ軸方向）に並ぶディスプレイパネル４０ａ〜４０ｆの一部のディスプレイパネル（例えば、中央に位置するディスプレイパネル４０ｃ及び４０ｄ）だけが湾曲した表示面をもてばよい。また、表示面において湾曲する箇所は、右側面視において上部だけ、下部だけ、又は、それらの両方のいずれであってもよい。また、額縁３０は、ディスプレイパネルの表示面の湾曲に対応した構造を有する。
【００６４】
このような配列型ディスプレイ２６により、第２方向（Ｙ軸方向）における表示面４１の両端部の少なくとも一方が手前（Ｚ軸の負方向）に反っているので、第２方向（Ｙ軸方向）における広い視野角をもつ表示面４１が実現される。
【００６５】
また、上記実施の形態及び変形例では、配列型ディスプレイを構成するディスプレイパネル集合体及び額縁は、正面視したときに、左右対称（Ｘ軸方向に折り返し対称）の構造を有したが、このような対称性を有していなくてもよい。例えば、開口部３１は、Ｙ軸方向に最も大きく開口する箇所が、中央よりも右（Ｘ軸方向）にずれていてもよい。このような構造の配列型ディスプレイは、例えば、上記実施の形態における配列型ディスプレイ２０において、６個のディスプレイパネル４０ａ〜４０ｆのうち、中央よりも右に位置するディスプレイパネル４０ｄ又は４０ｅが、正面視したときに、Ｙ軸方向に最も長い形状の輪郭を有する。このような左右に非対称な構造を有する配列型ディスプレイは、例えば、多くの計器類が表示される運転席の正面が最も大きく開口した表示面となっており、自動車のインスツルメントクラスタ用等に好適な配列型ディスプレイが実現される。
【００６６】
また、上記実施の形態及び変形例では、額縁が有する開口部の形状は、上部が上方（Ｙ軸方向）に湾曲したアーチ形及び山形の異形であったが、半円形、扇形等の他の異形であってもよいし、輪郭として直線箇所をもたない楕円形、円形等の異形であってもよい。
【００６７】
また、上記実施の形態及び変形例では、Ｘ軸方向に複数のディスプレイパネルが連続して敷き詰められていたが、少なくとも一部が不連続であっても構わない。例えば、上記実施の形態における配列型ディスプレイ２０において、６個のディスプレイパネル４０ａ〜４０ｆのうち、４０ｄ又は４０ｅの位置にはディスプレイパネルが配置されておらず、別の部材が配置されていても構わない。例えば、計器類の一部は、ディスプレイに表示するのではなく、計器類そのものを４０ｄ又は４０ｅの位置に配置しても構わない。このように、様々な需要に応じて、自動車のインスツルメントクラスタ用等に好適な配列型ディスプレイが実現される。
【００６８】
また、上記実施の形態及び変形例では、自動車のインスツルメントクラスタに適用された配列型ディスプレイの例が説明されたが、本開示に係る配列型ディスプレイは、このような適用に限定されず、デジタルサイネージ等の各種映像表示装置に適用できる。
【産業上の利用可能性】
【００６９】
本開示に係る配列型ディスプレイは、異形の表示面をもつディスプレイとして、例えば、自動車のインスツルメントクラスタやデジタルサイネージ等として用いられるディスプレイとして、利用できる。
【符号の説明】
【００７０】
１０  自動車
１１  運転席
１２  助手席
２０、２０ａ、２１〜２６  配列型ディスプレイ
３０、３２、３４  額縁
３０ａ、３２ａ、３４ａ  下側前面枠縁
３０ｂ、３２ｂ、３４ｂ  左側前面枠縁
３０ｃ、３２ｃ、３４ｃ  右側前面枠縁
３０ｄ、３２ｄ、３４ｄ  上側前面枠縁
３０ｅ、３２ｅ  底面枠縁
３１  開口部
３１ａ  空隙
３２ｆ  左側面枠縁
３２ｇ  右側面枠縁
３２ｈ  上面枠縁
３２ｉ  背面枠縁
３３  支持部
４０、４２、４３、４４  ディスプレイパネル集合体
４０ａ〜４０ｆ、４０ａ−１、４０ａ−２、４２ａ〜４２ｄ、４３ａ〜４３Ｌ、４４ａ〜４４ｄ  ディスプレイパネル
４１  表示面
４１ａ  中央部
４１ｂ  周縁部
４５ａ  バックライト
４５ｂ  背面偏光板
４５ｃ  背面ガラス基板
４５ｄ  ＴＦＴ層
４５ｅ  液晶層
４５ｆ  カラーフィルタ
４５ｇ  前面ガラス基板
４５ｈ  前面偏光板
４６ａ  陰極
４６ｂ  電子輸送層
４６ｃ  発光層
４６ｄ  正孔輸送層
４６ｅ  陽極
４６ｆ  ガラス基板
【図１】
2018031898.tif 000003
【図２Ａ】
2018031898.tif 000004
【図２Ｂ】
2018031898.tif 000005
【図３Ａ】
2018031898.tif 000006
【図３Ｂ】
2018031898.tif 000007
【図４Ａ】
2018031898.tif 000008
【図４Ｂ】
2018031898.tif 000009
【図５Ａ】
2018031898.tif 000010
【図５Ｂ】
2018031898.tif 000011
【図６】
2018031898.tif 000012
【図７Ａ】
2018031898.tif 000013
【図７Ｂ】
2018031898.tif 000014
【図８】
2018031898.tif 000015
【図９】
2018031898.tif 000016
【図１０】
2018031898.tif 000017
【図１１】
2018031898.tif 000018
【図１２】
2018031898.tif 000019